(57)【要約】【課題】ユーザの健康状態に関する情報を提供すること。【解決手段】  情報提供システム１０は、ユーザのバイタルデータを取得するバイタルデータ取得手段と、バイタルデータ取得手段によって取得されたバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備える。【選択図】図１
2018124853.tif 000002
【特許請求の範囲】
【請求項１】
ユーザのバイタルデータを取得するバイタルデータ取得手段と、
前記バイタルデータ取得手段によって取得された前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備えることを特徴とする情報提供システム。
【請求項２】
請求項１に記載の情報提供システムにおいて、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項３】
請求項１または２に記載の情報提供システムにおいて、
前記緊急性判定手段は、前記バイタルデータ取得手段によって取得された前記バイタルデータと、前記ユーザの位置情報、前記ユーザの加速度情報、前記ユーザの個人情報の少なくとも一つの情報とを用いて緊急性を判定するためのスコアリングを行い、スコアリング結果に基づいて前記ユーザに緊急を要する症状が発生したか否かを判定することを特徴とする情報提供システム。
【請求項４】
請求項３に記載の情報提供システムにおいて、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項５】
請求項１〜４のいずれか一項に記載の情報提供システムにおいて、
前記バイタルデータ取得手段は、前記ユーザに装着された前記バイタルデータを計測する機能を有するバイタルデータ計測端末から前記バイタルデータを受信することにより、前記バイタルデータを取得することを特徴とする情報提供システム。
【請求項６】
ユーザが所持するユーザ端末と、前記ユーザ端末から受信したデータを解析して情報を提供する情報提供装置とで構成される情報提供システムであって、
前記ユーザ端末は、
前記ユーザのバイタルデータを取得するバイタルデータ取得手段と、
前記バイタルデータ取得手段によって取得された前記バイタルデータを前記情報提供装置へ送信するバイタルデータ送信手段とを備え、
前記情報提供装置は、
前記ユーザ端末から受信した前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備えることを特徴とする情報提供システム。
【請求項７】
請求項６に記載の情報提供システムにおいて、
前記情報提供装置は、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項８】
請求項６または７に記載の情報提供システムにおいて、
前記ユーザ端末は、
前記ユーザの位置情報、前記ユーザの加速度情報、前記ユーザの個人情報の少なくとも一つをユーザ情報として前記情報提供装置へ送信するユーザ情報送信手段をさらに備え、
前記緊急性判定手段は、前記ユーザ端末から受信した前記バイタルデータと前記ユーザ情報とを用いて緊急性を判定するためのスコアリングを行い、スコアリング結果に基づいて前記ユーザに緊急を要する症状が発生したか否かを判定することを特徴とする情報提供システム。
【請求項９】
請求項８に記載の情報提供システムにおいて、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項１０】
請求項６〜９のいずれか一項に記載の情報提供システムにおいて、
前記バイタルデータ取得手段は、前記ユーザに装着された前記バイタルデータを計測する機能を有するバイタルデータ計測端末から前記バイタルデータを受信することにより、前記バイタルデータを取得することを特徴とする情報提供システム。
【発明の詳細な説明】
【技術分野】
【０００１】
本発明は、情報提供システムに関する。
【背景技術】
【０００２】
次のような情報共有システムが知られている。この情報共有システムでは、医療や介護の従事者間で患者の個人情報を共有することができる（例えば、特許文献１）。
【先行技術文献】
【特許文献】
【０００３】
【特許文献１】特開２０１６−２４５３８号公報
【発明の概要】
【発明が解決しようとする課題】
【０００４】
患者の個人情報を共有する場合、病院などの医療機関、保険会社などの民間企業、消防などの行政などが共有対象として考えられる。患者に緊急性を要する症状が認められた場合、共有対象に対して患者の健康状態に関する情報を送信することが好ましい場合があるが、この場合、情報の送信可否について事前に患者の同意を得ておく必要があった。しかしながら、従来の技術では、患者の健康状態に関する情報を送信先へ送信することの有用性があると判定された送信先に対して、ユーザによる情報送信に対する同意の有無を確認してから、同意がある送信先に対してユーザの健康状態に関する情報を送信する技術については、何ら検討されていなかった。
【課題を解決するための手段】
【０００５】
本発明による情報提供システムは、ユーザのバイタルデータを取得するバイタルデータ取得手段と、バイタルデータ取得手段によって取得されたバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備えることを特徴とする。
本発明による情報提供システムはまた、ユーザが所持するユーザ端末と、ユーザ端末から受信したデータを解析して情報を提供する情報提供装置とで構成され、ユーザ端末は、ユーザのバイタルデータを取得するバイタルデータ取得手段と、バイタルデータ取得手段によって取得されたバイタルデータを情報提供装置へ送信するバイタルデータ送信手段とを備え、情報提供装置は、ユーザ端末から受信したバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備えることを特徴とする。
【発明の効果】
【０００６】
本発明によれば、ユーザの健康状態に関する情報を送信先へ送信することの有用性があるときには、ユーザの同意の有無を判定した上で、ユーザから事前に同意が得られている送信先に対してユーザの健康状態に関する情報を送信することができる。
【図面の簡単な説明】
【０００７】
【図１】情報提供システム１０の一実施の形態の構成を示すブロック図である。
【図２】ユーザ端末１００の一実施の形態の構成を示すブロック図である。
【図３】情報提供装置２００の一実施の形態の構成を示すブロック図である。
【図４】送信先端末３００の一実施の形態の構成を示すブロック図である。
【図５】ユーザ端末１００で実行される処理の流れを示すフローチャート図である。
【図６】情報提供装置２００で実行される処理の流れを示すフローチャート図である。
【図７】送信先端末３００で実行される処理の流れを示すフローチャート図である。
【発明を実施するための形態】
【０００８】
図１は、本実施の形態における情報提供システム１０の一実施の形態の構成を示すブロック図である。情報提供システム１０は、ユーザに緊急を要する症状が発生しているか否かを判定し、ユーザの健康状態に関する情報を、あらかじめ登録されている送信先のうち、情報開示の有用性が認められる送信先へ送信して、患者、すなわちユーザの情報を開示することを目的とする。情報提供システム１０は、ユーザが所持するユーザ端末１００と、ユーザ端末１００から送信されるデータを解析して、ユーザの症状の緊急性、及び情報開示に対する有用性を判定し、通信回線で接続された送信先端末３００へ情報を送信する情報提供装置２００とで構成される。
【０００９】
ユーザ端末１００は、本実施の形態におけるユーザが所持する情報端末であって、例えば、スマートフォン、携帯電話機、タブレット端末などが用いられる。図２は、本実施の形態におけるユーザ端末１００として、スマートフォンを用いた場合の一実施の形態の構成を示すブロック図である。本実施の形態では、スマートフォンに、以下に説明する処理を実行するためのユーザ端末用ソフトウェアがインストールされることにより、本実施の形態におけるユーザ端末１００として動作する。なお、ユーザ端末用ソフトウェアのプログラムは、インターネットを介して接続されたサーバ上で公開されることにより提供され、ユーザ自身、またはユーザの主治医や家族といった関係者がこれをダウンロードにより入手し、ユーザ端末１００にあらかじめインストールされているものとする。あるいは、ユーザ端末用ソフトウェアのプログラムは、ＣＤ−ＲＯＭやＤＶＤ−ＲＯＭ等の記録媒体に記録されて提供されるようにしてもよい。
【００１０】
ユーザ端末１００は、タッチパネル１０１と、通信モジュール１０２と、ＧＰＳモジュール１０３と、加速度センサー１０４と、制御装置１０５とを備えている。
【００１１】
タッチパネル１０１は、液晶パネル等の表示装置とタッチパッドのような位置入力装置を組み合わせた電子部品であり、画面上の表示を押すことで機器を操作することができる入力装置である。例えば、ユーザ端末１００の操作者は、液晶パネル上に表示されたボタンやメニュー等の表示項目を指やタッチペンを用いてタッチまたはスライドさせることにより、ユーザ端末１００を操作することができる。タッチパネル１０１は、操作者によるタッチやスライドといった操作を検出して、その検出信号を制御装置１０５へ出力する。
【００１２】
通信モジュール１０２は、無線または有線により、ＬＡＮや携帯電話通信網を介してユーザ端末１００をインターネットに接続させるためのモジュールを含む。ユーザ端末１００は、通信モジュール１０２を介してインターネットに接続することにより、情報提供装置２００と通信を行うことが可能となる。
【００１３】
ＧＰＳモジュール１０３は、ＧＰＳ衛星と通信を行って、ＧＰＳ衛星から現在位置を特定するための測位情報を受信するためのモジュールであり、ＧＰＳ衛星と通信を行うためのアンテナや制御回路等が含まれる。
【００１４】
加速度センサー１０４は、ユーザ端末１００の移動に伴う加速度を検出するためのセンサーとその周辺回路を含む。
【００１５】
制御装置１０５は、ＣＰＵ、メモリ、およびその他の周辺回路によって構成され、ユーザ端末１００の全体を制御する。なお、制御装置１０５を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、ユーザ端末１００を動作させるためのファームウェアや種々のアプリケーションを動作させるためのソフトウェアのプログラムデータが記録される。本実施の形態では、この不揮発性のメモリに、上述したユーザ端末用ソフトウェアのプログラムが記録されている。
【００１６】
情報提供装置２００は、インターネットに接続された装置であって、例えば、パソコンやサーバなどが用いられる。図３は、本実施の形態における情報提供装置２００として、サーバ装置を用いた場合の一実施の形態の構成を示すブロック図である。情報提供装置２００は、接続インターフェース２０１と、制御装置２０２と、記憶媒体２０３とを備えている。
【００１７】
接続インターフェース２０１は、情報提供装置２００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、情報提供装置２００は、この接続インターフェース２０１を介してユーザ端末１００や送信先端末３００と通信する。
【００１８】
制御装置２０２は、ＣＰＵ、メモリ、およびその他の周辺回路によって構成され、情報提供装置２００の全体を制御する。なお、制御装置２０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース２０１を介して読み込まれたデータは、バッファメモリに一時的に記録される。
【００１９】
記憶媒体２０３は、情報提供装置２００が蓄える種々のデータや、制御装置２０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体２０３にインストールすることによって、制御装置２０２がプログラムを実行できるようになる。
【００２０】
送信先端末３００は、情報提供装置２００からの情報の送信先に配置された情報端末であって、例えば、パソコン、スマートフォン、タブレット端末などが用いられる。図４は、送信先端末３００として、パソコンを用いた場合の一実施の形態の構成を示すブロック図である。送信先端末３００は、操作部材３０１と、接続インターフェース３０２と、制御装置３０３と、記憶媒体３０４と、表示装置３０５とを備えている。
【００２１】
操作部材３０１は、送信先端末３００の操作者によって操作される種々の装置、例えばキーボードやマウスを含む。
【００２２】
接続インターフェース３０２は、送信先端末３００を他の装置や端末等の外部機器と接続するためのインターフェースである。例えば、送信先端末３００は、ＬＡＮやインターネット等の通信回線に接続するためのインターフェースが含まれる。送信先端末３００は、この接続インターフェース３０２を介して情報提供装置２００と通信を行う。
【００２３】
制御装置３０３は、ＣＰＵ、メモリ、およびその他の周辺回路によって構成され、送信先端末３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース３０２を介して読み込まれたデータは、バッファメモリに一時的に記録される。
【００２４】
記憶媒体３０４は、送信先端末３００が蓄える種々のデータや、制御装置３０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体３０４に記録されるプログラムのデータは、ＣＤ−ＲＯＭやＤＶＤ−ＲＯＭなどの記録媒体に記録されて提供されたり、ネットワークを介して提供され、公開者が取得したプログラムのデータを記憶媒体３０４にインストールすることによって、制御装置３０３がプログラムを実行できるようになる。
【００２５】
表示装置３０５は、例えば液晶モニタであって、制御装置３０３から出力される種々の表示用データが表示される。
【００２６】
本実施の形態における情報提供システム１０では、ユーザ端末１００は、ユーザが装着したバイタルデータ測定機能を備えるウェアラブル端末で測定されたユーザのバイタルデータを取得し、取得したバイタルデータを情報提供装置２００へ送信する。このために、ユーザ端末１００とウェアラブル端末とは、Ｂｌｕｅｔｏｏｔｈ（登録商標）などの近距離無線通信技術を用いて接続され、両機器間で通信を行うためのペアリングがあらかじめ行われている。
【００２７】
例えば、ユーザが手首に巻いて装着するウェアラブル端末の場合、ユーザの身体と接する部分に血圧測定、脈拍測定、心電図測定、心拍数測定を行うためのセンサーが搭載されており、ユーザの血圧データ、脈拍データ、心電図データ、心拍数データを計測することが可能となる。なお、手首に巻き付けるタイプのウェアラブル端末において、装着者の血圧、脈拍、心電図、心拍数を測定するための技術については、公知のため、ここでの説明は省略する。また、ウェアラブル端末がユーザの血糖値や脳波も測定可能な場合には、血糖値や脳波のデータも本実施の形態におけるバイタルデータに含まれる。
【００２８】
ウェアラブル端末では、常時連続して、またはあらかじめ設定された測定タイミングでバイタルデータを測定し、ウェアラブル端末固有の端末ＩＤとバイタルデータの測定結果とを関連付けた測定結果データをユーザ端末１００へ送信する。制御装置１０５は、ウェアラブル端末から測定結果データを受信すると、受信した測定結果データと、ユーザに対して一意に付与されている利用者ＩＤと、ＧＰＳモジュール１０３からの出力に基づいて特定したユーザ端末２００の現在位置と、加速度センサー１０４からの出力に基づいて特定したユーザ端末２００の加速度とを関連付けた解析用情報を情報提供装置２００へ送信する。
【００２９】
情報提供装置２００では、制御装置２０２は、ユーザ端末１００から受信した解析用情報を記憶媒体２０３に記録するともに、解析用情報に基づいて、ユーザに緊急を要する症状が発生したか否かを判定するための緊急性判定処理を実行する。以下、緊急性判定処理について説明する。
【００３０】
制御装置２０２は、解析用情報に含まれる利用者ＩＤに基づいて、ユーザに関する情報を記憶媒体２０３から読み出す。ユーザに関する情報は、あらかじめ記憶媒体２０３に登録されているものとする。
【００３１】
本実施の形態では、ユーザに関する情報は、あらかじめユーザ端末１００上で入力され、情報提供装置２００へ送信されることにより登録されているものとする。なお、ユーザに関する情報については、以下に示す情報のうち、情報提供装置２００や送信先端末３００上で入力可能な情報は、情報提供装置２００上で入力されて登録されたり、送信先端末３００上で入力され、情報提供装置２００へ送信されることにより登録されるようにしてもよい。
【００３２】
本実施の形態では、ユーザに関する情報には、ユーザを特定するための個人特定用情報と、ユーザの属性を示す属性情報などのユーザの個人情報が含まれる。個人特定用情報には、ユーザを一意に特定するための利用者ＩＤと、ユーザの氏名、住所、電話番号、生年月日を含む名寄せ情報と、ユーザの指紋、網膜、声紋、顔面などを用いた生体認証情報が含まれる。属性情報には、ユーザ個人を分類するための個人分類情報とユーザの医療情報とユーザの活動や契約に関する活動・契約情報が含まれる。個人分類情報には、ユーザの性別、年齢、住所、身長、体重、血液型などの情報が含まれる。医療情報には、ユーザの症状、医師による所見、検査結果、ユーザのバイタルデータ（血圧、脈波、脳波、心電図、血糖値、心拍数等）、ユーザの処方歴、既往歴、常用薬、かかりつけ病院などの情報が含まれる。活動・契約情報には、ユーザの購買に関する情報、ユーザの運動量に関する情報、ユーザが加入している保険に関する情報などが含まれる。なお、本実施の形態では、医療情報に含まれるユーザのバイタルデータには、ユーザ端末１００から解析用情報を受信したときに、解析用情報に含まれるバイタルデータの測定結果が履歴データとして記録されていく。
【００３３】
制御装置２０２は、緊急性判定処理を行うに当たり、記憶媒体２０３に記録されているユーザに関する情報の中から、利用者ＩＤが解析用情報に含まれる利用者ＩＤと一致するデータを読み出す。そして、ユーザ端末２００から受信した解析用情報と、記憶媒体２０３から読み出したユーザに関する情報を用いて、以下のようにユーザの緊急性判定を行う。ここでは、バイタルデータのうち、ユーザの血圧値に基づいて、ユーザが脳内出血や心筋梗塞などを発症しているか否かを判定することにより、ユーザに緊急を要する症状が発生したか否かを判定する場合を例に、処理の内容を説明する。
【００３４】
制御装置２０２は、解析用情報のバイタルデータに含まれる血圧測定値が正常値、例えば１３５ｍｍＨＧ／８５ｍｍＨＧより高い数値であるか否かを判定する。制御装置２０２は、その結果、ユーザの血圧測定値が正常値より高い場合には、緊急性を示す指標値に１０を加算する。一方、ユーザの血圧測定値が正常値より低い場合には、緊急性を示す指標値への加減算は行わない。なお、この指標値の初期値は０であり、この数値が高いほどユーザに緊急を要する症状が発生している可能性が高いことを意味する。本実施の形態では、ユーザの緊急性を示す指標値を用いてスコアリングを行い、スコアリング結果に基づいてユーザに緊急を要する症状が発生したか否かを判定する
【００３５】
制御装置２０２は、解析用情報に含まれるユーザ端末２００の加速度に基づいて、ユーザ端末２００に急激な加速が所定時間以上継続して発生しているか否かを判定する。例えば、ユーザ端末２００で検出された直近１分間の加速度の平均値が、地面と水平方向へ０．５Ｇ以上であるか否かを判定する。制御装置２０２は、その結果、ユーザ端末２００に急激な加速が所定時間以上継続して発生していることを検出した場合には、緊急性を示す指標値に３を加算する。一方、ユーザ端末２００に急激な加速が所定時間以上継続して発生していることを検出しない場合には、緊急性を示す指標値へ１を加算する。なお、ユーザ端末２００に急激な加速が所定時間以上継続して発生している場合は、ユーザは運動中である可能性が高いことから、本実施の形態では、緊急性を示す指標値への加算量を大きくしている。
【００３６】
制御装置２０２は、解析用情報に含まれるユーザ端末２００の現在位置が病院の敷地内に位置しているか否かを判定する。例えば、病院の敷地範囲を緯度・経度を用いて特定した敷地特定用情報があらかじめ記憶媒体２０３に記録されており、制御装置２０２は、解析用情報に含まれるユーザ端末２００の現在位置が敷地特定用情報によって特定される病院の敷地内に位置しているか否かを判定する。制御装置２０２は、その結果、ユーザ端末２００が病院の敷地内に位置していることを検出した場合には、緊急性を示す指標値から１０を減算する。一方、ユーザ端末２００が病院の敷地内に位置していないことを検出した場合には、緊急性を示す指標値への加減算は行わない。なお、ユーザ端末２００が病院の敷地内に位置している場合は、ユーザは既に院内にいるため、本実施の形態では、緊急性を示す指標値から減算している。
【００３７】
制御装置２０２は、解析用情報に含まれるユーザ端末２００の現在位置と、記憶媒体２０３に記録されている過去に受信した解析用情報に含まれるユーザ端末２００の現在位置とに基づいて、ユーザ端末２００が所定時間内にどの程度移動しているかを判定し、ユーザの移動距離に応じて緊急性を示す指標値のスコアリングを行う。本実施の形態では、ユーザの移動距離が長いほどユーザは緊急性が高い状況にあると判定して、緊急性を示す指標値への加算量を大きくする。例えば、本実施の形態では、制御装置２０２は、直近の１分間の移動距離が３０ｍ以上１００ｍ未満であれば、ユーザは歩行中であると判定して、緊急性を示す指標値に３を加算する。また、制御装置２０２は、直近の１分間の移動距離が１００ｍ以上であれば、ユーザは乗り物に乗って移動中であると判定して、緊急性を示す指標値に５を加算する。また、制御装置２０２は、直近の１分間の移動距離が３０ｍ未満であれば、ユーザは移動していないと判定して、緊急性を示す指標値から２を減算する。
【００３８】
制御装置２０２は、記憶媒体２０３から読み出したユーザに関する情報に基づいて、ユーザの既往歴に脳内出血があるか否かを判定する。ユーザの既往歴に脳内出血がある場合は、ユーザに緊急性が高い症状が発生している可能性が高いため、緊急性を示す指標値に１０を加算する。一方、ユーザの既往歴に脳内出血がない場合は、緊急性を示す指標値から５を減算する。
【００３９】
制御装置２０２は、記憶媒体２０３から読み出したユーザに関する情報に基づいて、ユーザの既往歴に心筋梗塞があるか否かを判定する。ユーザの既往歴に心筋梗塞がある場合は、ユーザに緊急性が高い症状が発生している可能性が高いため、緊急性を示す指標値に８を加算する。一方、ユーザの既往歴に心筋梗塞がない場合は、緊急性を示す指標値から４を減算する。
【００４０】
制御装置２０２は、上記処理によって緊急性を示す指標値に加減算を行った結果、緊急性を示す指標値のスコアリング結果が１５以上である場合には、ユーザは緊急状態にある、すなわちユーザに緊急を要する症状が発生している可能性が高いと判定する。一方、緊急性を示す指標値のスコアリング結果が１５未満である場合には、ユーザは正常状態にある、すなわちユーザに緊急を要する症状は発生していない可能性が高いと判定する。
【００４１】
次に、制御装置２０２は、あらかじめ登録されている情報の送信先へユーザの健康状態に関する情報を提供することの有用性の有無を判定する。このために、制御装置２０２は、以下に説明する有用性判定処理を実行する。なお、本実施の形態では、以下に説明するように、有用性を示す指標値を用いてスコアリングを行い、スコアリング結果に基づいて送信先への情報提供の有用性の有無を判定する。なお、有用性を示す指標値の初期値は０であり、この数値が高いほど送信先への情報提供の有用性が高いことを意味する。
【００４２】
記憶媒体２０３には、ユーザの健康状態に関する情報の送信先として、少なくとも１つの情報提供先が登録されている。ユーザの健康状態に関する情報の送信先としては、例えば、消防などの行政、病院などの医療機関、保険会社などの民間企業を想定する。制御装置２０２は、登録されている送信先ごとに、ユーザの健康状態に関する情報を提供することの有用性の有無を判定する。有用性を判定するためのスコアリング処理は、例えば、以下のようになる。
【００４３】
送信先が消防などの行政である場合には、制御装置２０２は、記憶媒体２０３に記録されているユーザに関する情報にバイタル情報が含まれているか否かを判定する。その結果、ユーザに関する情報にバイタル情報が含まれている場合には、制御装置２０２は、有用性を示す指標値に１を加算する。また、制御装置２０２は、上述した処理で、ユーザに緊急を要する症状が発生していると判定した場合には、有用性を示す指標値に１を加算する。また、制御装置２０２は、ユーザ端末２００の位置情報に基づいて、ユーザの現在位置が情報送信先の管轄内であるか否かを判定する。その結果、ユーザの現在位置が情報送信先の管轄内である場合には、制御装置２０２は、有用性を示す指標値に１を加算する。制御装置２０２は、このスコアリング処理の結果、有用性を示す指標値が３以上の場合には、ユーザの健康状態に関する情報を送信先、すなわち行政に送信することは有用性があると判定する。
【００４４】
これによって、行政は、ユーザに緊急を要する症状が発生している状況において、ユーザに関する情報にバイタル情報が把握でき、かつユーザの現在位置が自管轄内である場合には、ユーザの症状を把握するための情報を入手することが有用であることを加味して、行政にとってユーザの健康状態に関する情報を受信することの有用性の有無を判定することができる。
【００４５】
送信先が病院などの医療機関である場合には、制御装置２０２は、記憶媒体２０３に記録されているユーザに関する情報にバイタル情報が含まれているか否かを判定する。その結果、ユーザに関する情報にバイタル情報が含まれている場合には、制御装置２０２は、有用性を示す指標値に１を加算する。また、制御装置２０２は、上述した処理で、ユーザに緊急を要する症状が発生していると判定した場合には、有用性を示す指標値に１を加算する。また、制御装置２０２は、ユーザ端末２００の位置情報に基づいて、ユーザの現在位置が情報送信先の管轄内であるか否かを判定する。その結果、ユーザの現在位置が情報送信先の管轄内である場合には、制御装置２０２は、有用性を示す指標値に１を加算する。制御装置２０２は、このスコアリング処理の結果、有用性を示す指標値が３以上の場合には、ユーザの健康状態に関する情報を送信先、すなわち医療機関に送信することは有用性があると判定する。
【００４６】
これによって、医療機関は、ユーザに緊急を要する症状が発生している状況において、ユーザに関する情報にバイタル情報が把握でき、かつユーザの現在位置が自管轄内である場合には、ユーザの症状を把握するための情報を入手することが有用であることを加味して、医療機関にとってユーザの健康状態に関する情報を受信することの有用性の有無を判定することができる。
【００４７】
送信先が保険会社などの民間企業である場合には、制御装置２０２は、記憶媒体２０３に記録されているユーザに関する情報にバイタル情報が含まれているか否かを判定する。その結果、ユーザに関する情報にバイタル情報が含まれている場合には、制御装置２０２は、有用性を示す指標値に１を加算する。また、制御装置２０２は、記憶媒体２０３に記録されているユーザに関する情報にバイタル情報以外の医療情報が含まれているか否かを判定する。その結果、ユーザに関する情報にバイタル情報以外の医療情報が含まれている場合には、制御装置２０２は、有用性を示す指標値に１を加算する。また、制御装置２０２は、記憶媒体２０３に記録されているユーザに関する情報に活動・契約情報が含まれているか否かを判定する。その結果、ユーザに関する情報に活動・契約情報が含まれている場合には、制御装置２０２は、有用性を示す指標値に１を加算する。また、制御装置２０２は、上述した処理で、ユーザに緊急を要する症状が発生していない、すなわちユーザは正常状態であると判定した場合には、有用性を示す指標値に１を加算する。また、制御装置２０２は、記憶媒体２０３に記録されているユーザに関する情報に活動・契約情報に基づいて、ユーザが送信先のサービスに対する契約者であるか否かを判定し、契約者である場合には、有用性を示す指標値に１を加算する。制御装置２０２は、このスコアリング処理の結果、有用性を示す指標値が３以上の場合には、ユーザの健康状態に関する情報を送信先、すなわち民間企業に送信することは有用性があると判定する。
【００４８】
これによって、民間企業にとっては、ユーザに緊急を要する症状が発生していない正常状態において、ユーザが自社のサービスの契約者であり、ユーザの医療情報と活動・契約情報が把握できる場合には、ユーザの健康状態に関する情報を入手することが有用であることを加味して、民間企業にとってユーザの健康状態に関する情報を受信することの有用性の有無を判定することができる。
【００４９】
制御装置２０２は、上述した処理によって情報を送信することに有用性があると判定した送信先に対してユーザの健康状態に関する情報を送信するに当たり、該送信先へ情報を提供することに対して、ユーザの同意が取れているか否かを判定する。本実施の形態では、事前に各送信先へ情報を提供することに同意するか否かをユーザに確認しておき、確認がとれたものについては、送信先ごとの同意の有無を示す同意情報が記憶媒体２０２に記録されているものとする。
【００５０】
制御装置２０２は、情報を送信することに有用性があると判定した送信先に対する同意の有無を同意情報を参照して確認した結果、ユーザの同意が得られていると判定した場合には、その送信先の送信先端末３００へユーザの健康状態に関する情報を送信する。ユーザの健康状態に関する情報としては、例えば、「○時〇分にＡ氏に高血圧１４０ｍｍＨＧ／９０ｍｍＨＧが測定された。位置情報は、経度○○．○○、緯度: ○○○．○○（〇〇県〇〇市○○町〇丁目）、管轄内、既往歴に脳内出血・心筋梗塞あり」のような情報を送信する。
【００５１】
一方、制御装置２０２は、情報を送信することに有用性があると判定した送信先に対する同意の有無を同意情報を参照して確認した結果、ユーザの同意が得られていないと判定した場合には、ユーザにその送信先へ情報を提供することに対する追加同意を得るために、ユーザ端末１００に追加同意を取り付けるためのメッセージを送信する。
【００５２】
ユーザ端末１００では、制御装置１０５は、情報提供装置２００から追加同意を取り付けるためのメッセージを受信した場合には、メッセージ内容をタッチパネル１０１に表示し、同意するか否かについて、ユーザからの回答を待つ。本実施の形態では、例えば、「あなたのバイタルデータ（血圧）を行政（消防）に提供することに同意しますか？」のメッセージとともに、「ＹＥＳ」と「ＮＯ」のボタンを表示し、ユーザからの指示を待つ。制御装置１０５は、ユーザによって「ＹＥＳ」のボタンがタッチされることにより、追加同意が得られた場合には、追加同意が得られたことを示す情報を追加同意結果として情報提供装置２００へ送信する。一方、制御装置１０５は、ユーザによって「ＮＯ」のボタンがタッチされることにより、追加同意が得られなかった場合には、追加同意が得られなかったことを示す情報を追加同意結果として情報提供装置２００へ送信する。
【００５３】
情報提供装置２００では、制御装置２０２は、ユーザから追加同意が得られた場合には、その送信先の送信先端末３００に宛てて、上記と同様のユーザの健康状態に関する情報を送信する。これによって、事前にユーザの同意が得られていない場合であっても、追加で同意を取り付けて有用性のある情報を送信先へ送信することができる。
【００５４】
送信先端末３００では、制御装置３０３は、情報提供装置２００から情報を受信すると、受信した情報を記憶媒体３０４へ記録するとともに、表示装置３０５へ表示する。これによって、送信先の行政、医療機関、民間企業は、有用性のある情報を取得することができる。
【００５５】
図５は、本実施の形態におけるユーザ端末１００で実行される処理の流れを示すフローチャートである。図５に示す処理は、上述したユーザ端末用ソフトウェアの実行が指示されると起動するプログラムとして、制御装置１０５によって実行される。
【００５６】
ステップＳ１０において、制御装置１０５は、ウェアラブル端末から上述した測定結果データを受信したか否かを判断する。ステップＳ１０で否定判断した場合には、後述するステップＳ３０へ進む。これに対して、ステップＳ１０で肯定判断した場合には、ステップＳ２０へ進む。
【００５７】
ステップＳ２０では、制御装置１０５は、受信した測定結果データと、ユーザに対して一意に付与されている利用者ＩＤと、ＧＰＳモジュール１０３からの出力に基づいて特定したユーザ端末２００の現在位置と、加速度センサー１０４からの出力に基づいて特定したユーザ端末２００の加速度とを関連付けた解析用情報を情報提供装置２００へ送信する。その後、ステップＳ３０へ進む。
【００５８】
ステップＳ３０では、制御装置１０５は、上述したように、情報提供装置２００から追加同意を取り付けるためのメッセージを受信したか否かを判断する。ステップＳ３０で否定判断した場合には、後述するステップＳ６０へ進む。これに対して、ステップＳ３０で肯定判断した場合には、ステップＳ４０へ進む。
【００５９】
ステップＳ４０では、制御装置１０５は、追加同意を得るためのメッセージを表示した追加同意確認画面をタッチパネル１０１に表示する。その後、ステップＳ５０へ進む。
【００６０】
ステップＳ５０では、制御装置１０５は、追加同意を得るためのメッセージに対するユーザの応答結果を示す追加同意結果を情報提供装置２００へ送信する。その後、ステップ６０へ進む。
【００６１】
ステップＳ６０では、制御装置１０５は、ユーザ端末用ソフトウェアの終了が指示されか否かを判断する。ステップＳ６０で否定判断した場合には、ステップＳ１０へ戻る。これに対して、ステップＳ６０で肯定判断した場合には、処理を終了する。
【００６２】
図６は、本実施の形態における情報提供装置２００で実行される処理の流れを示すフローチャートである。図６に示す処理は、ユーザ端末２００から上述した解析用情報を受信すると起動するプログラムとして、制御装置２０２によって実行される。
【００６３】
ステップＳ１００において、制御装置２０２は、ユーザ端末１００から受信した解析用情報を記憶媒体２０３に記録する。その後、ステップＳ１１０へ進む。
【００６４】
ステップＳ１１０では、制御装置２０２は、上述したように、ユーザの緊急性を示す指標値を用いてスコアリングを行うことによって、ユーザに緊急を要する症状が発生したか否かを判定するための緊急性判定処理を実行する。その後、ステップＳ１２０へ進む。
【００６５】
ステップＳ１２０では、制御装置２０２は、上述したように、情報送信の有用性を示す指標値を用いてスコアリングを行うことによって、送信先へユーザの健康状態に関する情報を送信することの有用性の有無を判定するための有用性判定処理を実行する。その後、ステップＳ１３０へ進む。
【００６６】
ステップＳ１３０では、制御装置２０２は、有用性判定処理の結果、ユーザの健康状態に関する情報を送信することの有用性がある送信先が存在するか否かを判定する。ステップＳ１３０で否定判断した場合には、処理を終了する。これに対して、ステップＳ１３０で肯定判断した場合には、ステップＳ１４０へ進む。
【００６７】
ステップＳ１４０では、制御装置２０２は、有用性があると判定した送信先へ情報を提供することに対して、ユーザの同意が取れているか否かを判定する。このとき、有用性があると判定した送信先が複数ある場合には、全ての送信先について、同意の有無を確認する。その後、ステップＳ１５０へ進む。
【００６８】
ステップＳ１５０では、制御装置２０２は、ステップＳ１４０で確認した結果に基づいて、ユーザの同意が得られている送信先の送信先端末３００へ、上述したユーザの健康状態に関する情報を送信する。その後、ステップＳ１６０へ進む。
【００６９】
ステップＳ１６０では、制御装置２０２は、ステップＳ１４０で確認した結果に基づいて、ユーザの同意が得られていない送信先があるか否かを判断する。ステップＳ１６０で否定判断した場合は、処理を終了する。これに対して、ステップＳ１６０で肯定判断した場合には、ステップＳ１７０へ進む。
【００７０】
ステップＳ１７０では、制御装置２０２は、ユーザにその送信先へ情報を提供することに対する追加同意を得るために、ユーザ端末１００へ追加同意を取り付けるための追加同意確認メッセージを送信する。その後、ステップＳ１８０へ進む。
【００７１】
ステップＳ１８０では、制御装置２０２は、ユーザ端末１００から追加同意結果を受信した結果、上述した追加同意が得られたことを示す情報を受信した送信先の送信先端末３００へ、上述したユーザの健康状態に関する情報を送信する。その後、処理を終了する。
【００７２】
図７は、本実施の形態における送信先端末３００で実行される処理の流れを示すフローチャートである。図７に示す処理は、上述したように、情報提供装置２００からユーザの健康状態に関する情報を受信すると起動するプログラムとして、制御装置３０３によって実行される。
【００７３】
ステップＳ２００において、制御装置３０３は、情報提供装置２００から受信したユーザの健康状態に関する情報を記憶媒体３０４へ記録する。その後、ステップＳ２１０へ進む。
【００７４】
ステップＳ２１０では、制御装置３０３は、情報提供装置２００から受信したユーザの健康状態に関する情報を表示装置３０５へ表示する。その後、処理を終了する。
【００７５】
以上説明した本実施の形態によれば、以下のような作用効果を得ることができる。
（１）ユーザ端末１００の制御装置１０５は、ユーザのバイタルデータを取得し、取得したバイタルデータを含んだ解析用情報を情報提供装置２００へ送信するようにした。情報提供装置２００では、制御装置２０２は、ユーザ端末から受信した解析用情報に基づいて、ユーザに緊急を要する症状が発生したか否かを判定し、緊急性の判定結果を加味して、ユーザの健康状態に関する情報を送信先へ送信することの有用性の有無を送信先ごとに判定し、有用性があると判定した送信先に対して、ユーザが自身の健康状態に関する情報を送信することに同意しているか否かを判定し、同意があると判定した送信先に対してユーザの健康状態に関する情報を送信するようにした。これによって、ユーザが情報送信に同意している場合には、ユーザの健康状態に関する情報を送信することに有用性が認められる送信先に宛てて、ユーザの健康状態に関する情報を提供することができる。
【００７６】
（２）情報提供装置２００では、制御装置２０２は、ユーザからの同意が得られていない送信先に対して、ユーザの健康状態に関する情報を送信することの同意をユーザに要求し、この要求に応じてユーザの同意が得られた場合には、ユーザの同意が得られた送信先へ、ユーザの健康状態に関する情報を送信するようにした。これによって、事前にユーザの同意が得られていない送信先に対しても、ユーザからの追加同意を得て、ユーザの健康状態に関する情報を提供することができる。
【００７７】
（３）情報提供装置２００では、制御装置２０２は、ユーザのバイタルデータと、ユーザの位置情報、ユーザの加速度情報、ユーザの個人情報とを用いて緊急性を判定するためのスコアリングを行い、スコアリング結果に基づいてユーザに緊急を要する症状が発生したか否かを判定するようにした。これによって、ユーザのバイタルデータ、位置情報、加速度情報、個人情報に基づいて、ユーザに緊急を要する症状が発生したか否かを判定することができる。
【００７８】
（４）情報提供装置２００では、制御装置２０２は、緊急性判定処理による判定結果、ユーザの個人情報、ユーザの位置情報を用いて有用性を判定するためのスコアリングを行い、スコアリング結果に基づいてユーザの健康状態に関する情報を送信先へ送信することの有用性の有無を判定するようにした。これによって、緊急性判定処理による判定結果、ユーザの個人情報、加速度情報に基づいて、ユーザの健康状態に関する情報を送信先へ送信することの有用性の有無を判定することができる。
【００７９】
（５）ユーザ端末２００では、制御装置１０５は、ユーザに装着されたバイタルデータ計測端末からバイタルデータを受信することにより、バイタルデータを取得するようにした。これによって、既存のバイタルデータを取得する機能を備える端末を利用して、ユーザのバイタルデータを取得することができる。
【００８０】
―変形例―
なお、上述した実施の形態の情報提供システムは、以下のように変形することもできる。
（１）上述した実施の形態では、ユーザ端末２００では、ユーザが装着したウェアラブル端末からバイタルデータを受信することにより、ユーザのバイタルデータを取得する例について説明した。しかしながら、医療知識を持つ人物がユーザのバイタルデータを計測し、タッチパネル１０１上でユーザのバイタルデータを入力するようにしてもよい。この場合、制御装置１０１は、タッチパネル１０１上で入力を受け付けたバイタルデータを解析用情報に含めて情報提供装置２００へ送信すればよい。
【００８１】
（２）上述した実施の形態では、情報提供装置２００で実行される緊急性判定処理では、バイタルデータのうち、ユーザの血圧値に基づいて、ユーザが脳内出血や心筋梗塞などを発症しているか否かを判定することにより、ユーザに緊急を要する症状が発生したか否かを判定する場合について説明した。このために、上述した実施の形態における緊急性判定処理では、血圧値やユーザの既往歴に脳内出血と心筋梗塞があるかといった判定項目を用いて緊急性を示す指標値のスコアリングを行った。しかしながら、血圧値以外のバイタルデータを用いて、脳内出血や心筋梗塞以外の症状を検出するようにしてもよい。この場合は、想定する病気や症状に応じた判定項目を用いて、緊急性を示す指標値のスコアリングを行えばよい。
【００８２】
（３）上述した実施の形態では、情報提供装置２００で実行される有用性判定処理では、ユーザの健康状態に関する情報の送信先として、消防などの行政、病院などの医療機関、保険会社などの民間企業を想定し、それぞれの送信先に合った判定項目を用いてスコアリング処理を行う例について説明した。すなわち、送信先が消防などの行政である場合や病院などの医療機関である場合には、記憶媒体２０３に記録されているユーザに関する情報にバイタル情報が含まれているか否か、ユーザに緊急を要する症状が発生しているか否か、ユーザの現在位置が情報送信先の管轄内であるか否かといった判定項目を対象としてスコアリング処理を行う例について説明した。また、送信先が保険会社などの民間企業である場合には、記憶媒体２０３に記録されているユーザに関する情報にバイタル情報が含まれているか否か、記憶媒体２０３に記録されているユーザに関する情報にバイタル情報以外の医療情報が含まれているか否か、記憶媒体２０３に記録されているユーザに関する情報に活動・契約情報が含まれているか否か、ユーザに緊急を要する症状が発生しているか否か、ユーザに関する情報に活動・契約情報に基づいて、ユーザが送信先のサービスに対する契約者であるか否かといった判定項目を対象としてスコアリング処理を行う例について説明した。しかしながら、有用性の判定処理に用いる判定項目は上記の例に限定されず、それぞれの送信先に合った判定項目が適宜設定され、各判定項目ごとに所定のスコア値を加算または減算するようにしてもよい。
【００８３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８４】
１０  情報提供システム
１００  ユーザ端末
１０１  タッチパネル
１０２  通信モジュール
１０３  ＧＰＳモジュール
１０４  加速度センサー
１０５  制御装置
２００  情報提供装置
２０１  接続インターフェース
２０２  制御装置
２０３  記憶媒体
３００  送信先端末
３０１  操作部材
３０２  接続インターフェース
３０３  制御装置
３０４  記憶媒体
３０５  表示装置
【図１】
2018124853.tif 000003
【図２】
2018124853.tif 000004
【図３】
2018124853.tif 000005
【図４】
2018124853.tif 000006
【図５】
2018124853.tif 000007
【図６】
2018124853.tif 000008
【図７】
2018124853.tif 000009
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
ユーザのバイタルデータを取得するバイタルデータ取得手段と、
前記バイタルデータ取得手段によって取得された前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備え、
前記緊急性判定手段は、前記バイタルデータ取得手段によって取得された前記バイタルデータと、前記ユーザの位置情報、前記ユーザの加速度情報、前記ユーザの個人情報の少なくとも一つの情報とを用いて緊急性を判定するためのスコアリングを行い、スコアリング結果に基づいて前記ユーザに緊急を要する症状が発生したか否かを判定し、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項２】
請求項１に記載の情報提供システムにおいて、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項３】
ユーザのバイタルデータを取得するバイタルデータ取得手段と、
前記バイタルデータ取得手段によって取得された前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備え、
前記同意有無判定手段は、あらかじめ記憶媒体に記録されている送信先ごとの同意の有無を示す同意情報を参照することによって、前記有用性判定手段で情報を送信することに有用性があると判定した送信先に対する同意の有無を判定することを特徴とする情報提供システム。
【請求項４】
請求項３に記載の情報提供システムにおいて、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項５】
請求項３または４に記載の情報提供システムにおいて、
前記緊急性判定手段は、前記バイタルデータ取得手段によって取得された前記バイタルデータと、前記ユーザの位置情報、前記ユーザの加速度情報、前記ユーザの個人情報の少なくとも一つの情報とを用いて緊急性を判定するためのスコアリングを行い、スコアリング結果に基づいて前記ユーザに緊急を要する症状が発生したか否かを判定することを特徴とする情報提供システム。
【請求項６】
請求項５に記載の情報提供システムにおいて、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項７】
請求項１〜６のいずれか一項に記載の情報提供システムにおいて、
前記バイタルデータ取得手段は、前記ユーザに装着された前記バイタルデータを計測する機能を有するバイタルデータ計測端末から前記バイタルデータを受信することにより、前記バイタルデータを取得することを特徴とする情報提供システム。
【請求項８】
ユーザが所持するユーザ端末と、前記ユーザ端末から受信したデータを解析して情報を提供する情報提供装置とで構成される情報提供システムであって、
前記ユーザ端末は、
前記ユーザのバイタルデータを取得するバイタルデータ取得手段と、
前記バイタルデータ取得手段によって取得された前記バイタルデータを前記情報提供装置へ送信するバイタルデータ送信手段と、
前記ユーザの位置情報、前記ユーザの加速度情報、前記ユーザの個人情報の少なくとも一つをユーザ情報として前記情報提供装置へ送信するユーザ情報送信手段とを備え、
前記情報提供装置は、
前記ユーザ端末から受信した前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備え、
前記緊急性判定手段は、前記ユーザ端末から受信した前記バイタルデータと前記ユーザ情報とを用いて緊急性を判定するためのスコアリングを行い、スコアリング結果に基づいて前記ユーザに緊急を要する症状が発生したか否かを判定し、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項９】
請求項８に記載の情報提供システムにおいて、
前記情報提供装置は、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項１０】
ユーザが所持するユーザ端末と、前記ユーザ端末から受信したデータを解析して情報を提供する情報提供装置とで構成される情報提供システムであって、
前記ユーザ端末は、
前記ユーザのバイタルデータを取得するバイタルデータ取得手段と、
前記バイタルデータ取得手段によって取得された前記バイタルデータを前記情報提供装置へ送信するバイタルデータ送信手段とを備え、
前記情報提供装置は、
前記ユーザ端末から受信した前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備え、
前記同意有無判定手段は、あらかじめ記憶媒体に記録されている送信先ごとの同意の有無を示す同意情報を参照することによって、前記有用性判定手段で情報を送信することに有用性があると判定した送信先に対する同意の有無を判定することを特徴とする情報提供システム。
【請求項１１】
請求項１０に記載の情報提供システムにおいて、
前記情報提供装置は、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項１２】
請求項１０または１１に記載の情報提供システムにおいて、
前記ユーザ端末は、
前記ユーザの位置情報、前記ユーザの加速度情報、前記ユーザの個人情報の少なくとも一つをユーザ情報として前記情報提供装置へ送信するユーザ情報送信手段をさらに備え、
前記緊急性判定手段は、前記ユーザ端末から受信した前記バイタルデータと前記ユーザ情報とを用いて緊急性を判定するためのスコアリングを行い、スコアリング結果に基づいて前記ユーザに緊急を要する症状が発生したか否かを判定することを特徴とする情報提供システム。
【請求項１３】
請求項１２に記載の情報提供システムにおいて、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項１４】
請求項８〜１３のいずれか一項に記載の情報提供システムにおいて、
前記バイタルデータ取得手段は、前記ユーザに装着された前記バイタルデータを計測する機能を有するバイタルデータ計測端末から前記バイタルデータを受信することにより、前記バイタルデータを取得することを特徴とする情報提供システム。
【手続補正２】
【補正対象書類名】明細書
【補正対象項目名】０００５
【補正方法】変更
【補正の内容】
【０００５】
本発明による情報提供システムは、ユーザのバイタルデータを取得するバイタルデータ取得手段と、バイタルデータ取得手段によって取得されたバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備え、緊急性判定手段は、バイタルデータ取得手段によって取得されたバイタルデータと、ユーザの位置情報、ユーザの加速度情報、ユーザの個人情報の少なくとも一つの情報とを用いて緊急性を判定するためのスコアリングを行い、スコアリング結果に基づいてユーザに緊急を要する症状が発生したか否かを判定し、有用性判定手段は、緊急性判定手段による判定結果、ユーザの個人情報、ユーザの位置情報を用いて有用性を判定するためのスコアリングを行い、スコアリング結果に基づいてユーザの健康状態に関する情報を送信先へ送信することの有用性の有無を判定することを特徴とする。
本発明による情報提供システムはまた、ユーザのバイタルデータを取得するバイタルデータ取得手段と、バイタルデータ取得手段によって取得されたバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備え、同意有無判定手段は、あらかじめ記憶媒体に記録されている送信先ごとの同意の有無を示す同意情報を参照することによって、有用性判定手段で情報を送信することに有用性があると判定した送信先に対する同意の有無を判定することを特徴とする。
本発明による情報提供システムはまた、ユーザが所持するユーザ端末と、ユーザ端末から受信したデータを解析して情報を提供する情報提供装置とで構成され、ユーザ端末は、ユーザのバイタルデータを取得するバイタルデータ取得手段と、バイタルデータ取得手段によって取得されたバイタルデータを情報提供装置へ送信するバイタルデータ送信手段と、ユーザの位置情報、ユーザの加速度情報、ユーザの個人情報の少なくとも一つをユーザ情報として情報提供装置へ送信するユーザ情報送信手段とを備え、情報提供装置は、ユーザ端末から受信したバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備え、緊急性判定手段は、ユーザ端末から受信したバイタルデータとユーザ情報とを用いて緊急性を判定するためのスコアリングを行い、スコアリング結果に基づいてユーザに緊急を要する症状が発生したか否かを判定し、有用性判定手段は、緊急性判定手段による判定結果、ユーザの個人情報、ユーザの位置情報を用いて有用性を判定するためのスコアリングを行い、スコアリング結果に基づいてユーザの健康状態に関する情報を送信先へ送信することの有用性の有無を判定することを特徴とする。
本発明による情報提供システムはまた、ユーザが所持するユーザ端末と、ユーザ端末から受信したデータを解析して情報を提供する情報提供装置とで構成され、ユーザ端末は、ユーザのバイタルデータを取得するバイタルデータ取得手段と、バイタルデータ取得手段によって取得されたバイタルデータを情報提供装置へ送信するバイタルデータ送信手段とを備え、情報提供装置は、ユーザ端末から受信した前記バイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備え、同意有無判定手段は、あらかじめ記憶媒体に記録されている送信先ごとの同意の有無を示す同意情報を参照することによって、有用性判定手段で情報を送信することに有用性があると判定した送信先に対する同意の有無を判定することを特徴とする。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
ユーザのバイタルデータを取得するバイタルデータ取得手段と、
前記バイタルデータ取得手段によって取得された前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備え、
前記緊急性判定手段は、前記バイタルデータ取得手段によって取得された前記バイタルデータと、前記ユーザの位置情報、前記ユーザの加速度情報、前記ユーザの個人情報の少なくとも一つの情報とを用いて緊急性を判定するためのスコアリングを行い、スコアリング結果に基づいて前記ユーザに緊急を要する症状が発生したか否かを判定し、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項２】
請求項１に記載の情報提供システムにおいて、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項３】
請求項１または２に記載の情報提供システムにおいて、
前記バイタルデータ取得手段は、前記ユーザに装着された前記バイタルデータを計測する機能を有するバイタルデータ計測端末から前記バイタルデータを受信することにより、前記バイタルデータを取得することを特徴とする情報提供システム。
【請求項４】
ユーザが所持するユーザ端末と、前記ユーザ端末から受信したデータを解析して情報を提供する情報提供装置とで構成される情報提供システムであって、
前記ユーザ端末は、
前記ユーザのバイタルデータを取得するバイタルデータ取得手段と、
前記バイタルデータ取得手段によって取得された前記バイタルデータを前記情報提供装置へ送信するバイタルデータ送信手段と、
前記ユーザの位置情報、前記ユーザの加速度情報、前記ユーザの個人情報の少なくとも一つをユーザ情報として前記情報提供装置へ送信するユーザ情報送信手段とを備え、
前記情報提供装置は、
前記ユーザ端末から受信した前記バイタルデータに基づいて、前記ユーザに緊急を要する症状が発生したか否かを判定する緊急性判定手段と、
前記緊急性判定手段による判定結果を加味して、前記ユーザの健康状態に関する情報を送信先へ送信することの有用性の有無を、前記送信先ごとに判定する有用性判定手段と、
前記有用性判定手段によって有用性があると判定された前記送信先に対して、前記ユーザが自身の健康状態に関する情報を送信することに同意しているか否かを判定する同意有無判定手段と、
前記同意有無判定手段によって同意があると判定された前記送信先に対して前記ユーザの健康状態に関する情報を送信する情報送信手段とを備え、
前記緊急性判定手段は、前記ユーザ端末から受信した前記バイタルデータと前記ユーザ情報とを用いて緊急性を判定するためのスコアリングを行い、スコアリング結果に基づいて前記ユーザに緊急を要する症状が発生したか否かを判定し、
前記有用性判定手段は、前記緊急性判定手段による判定結果、前記ユーザの個人情報、前記ユーザの位置情報を用いて有用性を判定するためのスコアリングを行い、スコアリング結果に基づいて前記ユーザの健康状態に関する情報を送信先へ送信することの有用性の有無を判定することを特徴とする情報提供システム。
【請求項５】
請求項４に記載の情報提供システムにおいて、
前記情報提供装置は、
前記ユーザに、前記同意有無判定手段によって同意がないと判定された前記送信先に対して前記ユーザの健康状態に関する情報を送信することの同意を要求する同意要求手段をさらに備え、
前記情報送信手段は、前記同意要求手段による要求に応じて前記ユーザの同意が得られた場合には、前記ユーザの同意が得られた前記送信先へ、前記ユーザの健康状態に関する情報を送信することを特徴とする情報提供システム。
【請求項６】
請求項４または５に記載の情報提供システムにおいて、
前記バイタルデータ取得手段は、前記ユーザに装着された前記バイタルデータを計測する機能を有するバイタルデータ計測端末から前記バイタルデータを受信することにより、前記バイタルデータを取得することを特徴とする情報提供システム。
【手続補正２】
【補正対象書類名】明細書
【補正対象項目名】０００５
【補正方法】変更
【補正の内容】
【０００５】
本発明による情報提供システムは、ユーザのバイタルデータを取得するバイタルデータ取得手段と、バイタルデータ取得手段によって取得されたバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備え、緊急性判定手段は、バイタルデータ取得手段によって取得されたバイタルデータと、ユーザの位置情報、ユーザの加速度情報、ユーザの個人情報の少なくとも一つの情報とを用いて緊急性を判定するためのスコアリングを行い、スコアリング結果に基づいてユーザに緊急を要する症状が発生したか否かを判定し、有用性判定手段は、緊急性判定手段による判定結果、ユーザの個人情報、ユーザの位置情報を用いて有用性を判定するためのスコアリングを行い、スコアリング結果に基づいてユーザの健康状態に関する情報を送信先へ送信することの有用性の有無を判定することを特徴とする。
本発明による情報提供システムはまた、ユーザが所持するユーザ端末と、ユーザ端末から受信したデータを解析して情報を提供する情報提供装置とで構成され、ユーザ端末は、ユーザのバイタルデータを取得するバイタルデータ取得手段と、バイタルデータ取得手段によって取得されたバイタルデータを情報提供装置へ送信するバイタルデータ送信手段と、ユーザの位置情報、ユーザの加速度情報、ユーザの個人情報の少なくとも一つをユーザ情報として情報提供装置へ送信するユーザ情報送信手段とを備え、情報提供装置は、ユーザ端末から受信したバイタルデータに基づいて、ユーザに緊急を要する症状が発生したか否かを判定する緊急性判定手段と、緊急性判定手段による判定結果を加味して、ユーザの健康状態に関する情報を送信先へ送信することの有用性の有無を、送信先ごとに判定する有用性判定手段と、有用性判定手段によって有用性があると判定された送信先に対して、ユーザが自身の健康状態に関する情報を送信することに同意しているか否かを判定する同意有無判定手段と、同意有無判定手段によって同意があると判定された送信先に対してユーザの健康状態に関する情報を送信する情報送信手段とを備え、緊急性判定手段は、ユーザ端末から受信したバイタルデータとユーザ情報とを用いて緊急性を判定するためのスコアリングを行い、スコアリング結果に基づいてユーザに緊急を要する症状が発生したか否かを判定し、有用性判定手段は、緊急性判定手段による判定結果、ユーザの個人情報、ユーザの位置情報を用いて有用性を判定するためのスコアリングを行い、スコアリング結果に基づいてユーザの健康状態に関する情報を送信先へ送信することの有用性の有無を判定することを特徴とする。